(57)【要約】【課題】色々な形状、サイズの商品の陳列に対処できるように種々の使用形態に適用できる商品整列用仕切り具を提供する。【解決手段】板状のベース１０又は箱形状のケースと、このベース１０又はケースに対して着脱可能に構成されたベース１０上又はケース内を仕切る複数の仕切板２０ａ又は２０ｂとを備え、ベース１０又はケースの底板の全域に亘りスリット１１ａ又は１１ｂが縦・横方向に所定の間隔でマトリックス状に配列した状態で多数形成されるとともに、仕切板２０ａ又は２０ｂの下端縁に前記スリット１０ａ又は１０ｂに係脱可能に差し込める一対の突起２１ａ，２１ａ又は２１ｂ，２１ｂを一体形成した。【選択図】      図１
2006204356.tif 000002
【特許請求の範囲】
【請求項１】
平板状のベースと、このベースに対して着脱可能に構成されたベース上を仕切る複数の仕切板とを備え、ベースの全域に亘りスリットが該ベースの縦・横方向に所定の間隔でマトリックス状に配列した状態で多数形成されるとともに、仕切板の下端縁に前記スリットに係脱可能に差し込める一対の突起を一体形成したことを特徴とする商品整列用仕切り治具。
【請求項２】
ベース及び仕切板の素材がアクリル樹脂又はポリカーボネイト樹脂であることを特徴とする請求項１に記載の商品整列用仕切り具。
【請求項３】
前板、後板、左右の側板及び底板を有する箱形状のケースと、このケースに対して着脱可能に構成されケース内を仕切る複数の仕切板とを備え、ケースの底板の全域に亘りスリットが該底板の縦・横方向に所定の間隔でマトリックス状に配列した状態で多数形成されるとともに、仕切板の下端縁に前記スリットに係脱可能に差し込める一対の突起を一体形成したことを特徴とする商品整列用仕切り治具。
【請求項４】
ケース及び仕切板の素材がアクリル樹脂又はポリカーボネイト樹脂であることを特徴とする請求項３に記載の商品整列用仕切り具。
【請求項５】
中間部分で折り曲げが可能な仕切板を具備したことを特徴とする請求項１乃至請求項４のいずれかに記載の商品整列用仕切り具。
【発明の詳細な説明】
【技術分野】
【０００１】
本発明は、スーパーマーケット、コンビニエンスストアー等で商品を陳列する陳列棚に設置される商品整列用仕切り具に関するものである。
【背景技術】
【０００２】
一般に、スーパーマーケット、コンビニエンスストアー等においては、商品を陳列する陳列棚の上に商品整列用仕切り具を設置し、この商品整列用仕切り具に商品を載置して商品毎に整列した状態で陳列することにより、商品を美しく見えるようにしている。
【０００３】
従来、この種の商品整列用仕切り具として、プラスチック樹脂からなるベースの定位置に複数の仕切板を固設し、この各仕切板によってベース上を仕切ったものが存在する。
【発明の開示】
【発明が解決しようとする課題】
【０００４】
しかしながら、上記従来の商品整列用仕切り具は、ベースの定位置に仕切板が固設されているので、各種の商品を陳列する場合、商品の形状、サイズによっては無駄なスペースが生じてしまったり、そのスペースに入り切らなかったりして、色々な形状、サイズの商品の陳列に対処できない。色々の形状、サイズの商品の陳列に対処するには、商品の形状、サイズに応じて商品毎の商品整列用仕切り具を使用しなくてはならないので、種々の商品整列用仕切り具を多数用意する必要があり、コストが余分にかかるという課題がある。
【０００５】
本発明は、上記従来の課題を解決するものであり、色々な形状、サイズの商品の陳列に対処できるように種々の使用形態に適用できる商品整列用仕切り具を提供することを目的としてなされたものである。
【課題を解決するための手段】
【０００６】
上記目的を達成するため、本発明は、平板状のベースと、このベースに対して着脱可能に構成されたベース上を仕切る複数の仕切板とを備え、ベースの全域に亘りスリットが該ベースの縦・横方向に所定の間隔でマトリックス状に配列した状態で多数形成されるとともに、仕切板の下端縁に前記スリットに係脱可能に差し込める一対の突起を一体形成したことを特徴とする。
【０００７】
上述の発明によれば、ベースの全域に亘り仕切板の突起を係脱自在に差し込めるスリットが該ベースの縦・横方向に所定の間隔でマトリックス状に配列した状態で多数形成されているので、このスリットを利用して仕切板をベースに取付けることができ、これによってベース上を商品の形状、サイズに合せて自由に仕切れるとともに、ベース上を商品の陳列形態に応じて種々の使用形態に自由に変更できる商品整列用仕切り具を提供できる。
【０００８】
また、本発明は、前板、後板、左右の側板及び底板を有する箱形状のケースと、このケースに対して着脱可能に構成されケース内を仕切る複数の仕切板とを備え、ケースの底板の全域に亘りスリットが該底板の縦・横方向に所定の間隔でマトリックス状に配列した状態で多数形成されるとともに、仕切板の下端縁に前記スリットに係脱可能に差し込める一対の突起を一体形成したことを特徴とするものである。
【０００９】
上述の発明によれば、ケースの底板の全域に亘り仕切板の突起を係脱自在に差し込めるスリットが該底板の縦・横方向に所定の間隔でマトリックス状に配列した状態で多数形成されているので、このスリットを利用して仕切板をケースの底板に取付けることができ、これによってケース内を商品の形状、サイズに合せて自由に仕切れるとともに、ケース内を商品の陳列形態に応じて種々の使用形態に自由に変更できる商品整列用仕切り具を提供できる。
【００１０】
また、本発明は、ベース又はケース及び仕切板の素材がアクリル樹脂又はポリカーボネイト樹脂であることを特徴とするものである。
【００１１】
上述の構成によれば、ベース又はケース及び仕切板の素材がアクリル樹脂又はポリカーボネイト樹脂であるから、硬くて丈夫な商品整列用仕切り具を提供できる。
【００１２】
更に、本発明は、中間部分で折り曲げが可能な仕切板を具備したことを特徴とするものである。
【００１３】
上述の発明によれば、中間部分で折り曲げが可能な仕切板によってコーナー部分を形成できるので、コーナー部分を隙間のない連続した状態で形成できる商品整列用仕切り具が提供できる。
【発明の効果】
【００１４】
本発明によれば、複数の仕切板をベース又はケースに取付けるスリットを変えることにより、ベース上又はケース内を仕切る態様を種々変更することができ、陳列する商品の形状、サイズに応じて種々の使用態様を得ることができる。これにより、従来のように商品毎に種々の商品整列用仕切り具を用意する必要が不要となり、陳列に要するコストの低減化が図れる。
【発明を実施するための最良の形態】
【００１５】
以下、本発明の実施形態について図面に基づいて説明する。
【００１６】
図１は本発明にかかる商品整列用仕切り具の一実施の形態を示す斜視図、図２はベースの平面図、図３は仕切板の斜視図、図４は折り曲げ仕切板の斜視図である。
【００１７】
図１に示すように、本実施形態の商品整列用仕切り具１は、平板状のベース１０と、このベース１０に対して着脱自在に構成されたベース１０上を仕切る複数の仕切板２０ａ又は２０ｂとを備えている。
【００１８】
ベース１０は、商品の陳列に必要な所定の表面積を有する長方形に形成されている。このベース１０には、図２に示すように、全域に亘りスリット１１ａ又は１１ｂが該ベース１０の縦・横方向に所定の間隔でマトリックス状に配列された状態で多数形成されており、プラス形状のスリット１１ａとマイナス形状のスリット１１ｂは、ベース１０の縦方向に交互に配列されている。このスリット１１ａ又は１１ｂは、図３に示す仕切板２０ａ又は２０ｂが係脱可能に差し込み得るになっている。また、ベース１０の下面には、該ベース１０の横方向に延びる１本乃至複数本の突条１２が突設されており、この突条１２を図示省略した陳列棚の横材に引っ掛けることにより、前傾斜を有する陳列棚にも安定して保持し得るになっている。ベース１０の素材としては、アクリル樹脂、ポリカーボネイト樹脂、ポリ塩化ビニール樹脂等の汎用プラスチック樹脂が挙げられるが、アクリル樹脂、ポリカーボネイト樹脂が硬くて丈夫であるので好ましい。
【００１９】
仕切板２０ａは、所定の高さを有する矩形状に形成されている。この仕切板２０ａには、下端縁にベース１０に形成したスリット１１ａ又は１１ｂに係脱可能に差し込まれる一対の突起２１ａ，２１ａが一体形成されている。突起２１ａ同士の間隔は、スリット１１ａ又は１１ｂの間隔の２倍の間隔で形成されている。この仕切板２０ａは、その突起２１ａ，２１ａをベース１０の縦・横方向にマトリックス状に配列されたスリット１１ａ又は１１ｂのうちの任意の２つに差し込むことにより、ベース１０に対し鉛直な姿勢に取付けることができる。
【００２０】
仕切板２０ｂは、仕切板２０ａと同様に、所定の高さを有する矩形状に形成され、下端縁にベース１０に形成したスリット１１ａ又は１１ｂに係脱可能に差し込まれる一対の突起２１ｂ，２１ｂが一体形成されており、突起２１ｂ同士の間隔は、スリット１１ａ又は１１ｂの間隔の整数倍の間隔で形成され、突起２１ｂ，２１ｂをベース１０の縦・横方向にマトリックス状に配列されたスリット１１ａ又は１１ｂのうちの任意の２つに差し込むことにより、ベース１０に対し鉛直な姿勢に取付けることができる。仕切板２０ｂが仕切板２０ａと異なるのは、中間部分で折り曲げが可能である点であり、９０°に折り曲げた状態でコーナー部分の仕切りに用いることにより、コーナー部分を隙間のない連続した状態で形成するようになっている。この仕切板２０ｂは、折り曲げない状態で使用することも可能である。
【００２１】
尚、仕切板２０ａ又は２０ｂの素材としては、アクリル樹脂、ポリカーボネイト樹脂、ポリ塩化ビニール樹脂等の汎用プラスチック樹脂が挙げられるが、アクリル樹脂、ポリカーボネイト樹脂が硬くて丈夫であるので好ましい。
【００２２】
本発明の商品整列用仕切り具１は、ベース１０に複数の仕切板２０ａ又は２０ｂを取付けることにより、ベース１０上が複数の仕切板２０ａ又は２０ｂによって仕切られている。
【００２３】
図５は、ベース１０上が複数の仕切板２０ａ又は２０ｂによって仕切られた状態を示している。この状態では、ベース１０は１つの比較的大きな平面視ほぼ正方形の仕切スペースＡと、２つの比較的小さな平面視ほぼ正方形の仕切スペースＢとに仕切られており、各仕切スペースＡ，Ｂに商品をそれぞれ収納することができる。
【００２４】
本発明の商品整列用仕切り具１によれば、複数の仕切板２０ａ又は２０ｂをベース１０に取付けるスリット１１ａ又は１１ｂを変更することにより、ベース１０を仕切る態様を種々変更することができ、陳列する商品の形状、サイズに応じて種々の使用態様を得ることができる。これにより、従来のように商品毎に種々の商品整列用仕切り具を用意する必要が不要となり、陳列に要するコストの低減化が図れる。
【００２５】
また、本発明の商品整列用仕切り具１によれば、ベース１０及び仕切板２０ａ又は２０ｂの素材をアクリル樹脂又はポリカーボネイト樹脂とすることにより、アクリル樹脂又はポリカーボネイト樹脂は硬くて丈夫であるから、過酷な使用条件にも充分に耐えられる。
【００２６】
更に、本発明の商品整列用仕切り具１によれば、ベース１０の下面に該ベース１０の横方向に延びる１本乃至複数本の突条１２を突設したことにより、傾斜を有する商品陳列棚でも、突条１２を商品陳列棚の横方向に延びる部材（棒又はパイプ）に引っ掛けて滑り止めとすることで、安定して傾斜配置できる。
【００２７】
以上、本発明の実施形態を説明したが、具体的な構成はこれに限定されず、本発明の要旨を逸脱しない範囲での変更、追加は本発明の範囲内である。例えば、上述の実施形態では、平板状のベース１０上を複数の仕切板２０ａ又は２０ｂによって仕切るようにしているが、ベース１０に代って前板、後板、左右の側板及び底板を有する箱形状のケース内を複数の仕切板２０ａ又は２０ｂによって仕切るようにしても構わない。この場合、ケースの底板の全面に亘りベース１０の場合と同様にスリットを多数形成し、ケースの底板に複数の仕切板２０ａ又は２０ｂをベース１０の場合と同様に取付ける。
【００２８】
また、上述の実施形態では、プラス形状のスリット１１ａとマイナス形状のスリット１１ｂをベース１０の縦方向に交互に配列させるようにしているが、プラス形状のスリット１１ａだけをベース１０又はケースの底板の縦・横方向に所定の間隔でマトリックス状に配列させるようにしても構わない。
【００２９】
また、上述の実施形態では、ベース１０上を仕切板２０ａと仕切板２０ｂとにより仕切るようにしているが、どちらか一方のみでベース１０上又はケース内を仕切るようにしても構わない。
【００３０】
また、上述の実施形態では、仕切板２０ｂは、両側辺を上下辺に対して直角になるように形成しているが、図６（ａ）に示すように、両側辺全体を上下辺に対して斜めに傾斜して形成するようにしても構わないし、図６（ｂ）に示すように、両側辺を上下辺に対して部分的に斜めに傾斜して形成するようにしても構わない。
【００３１】
また、上述の実施形態では、ベース１０の下面に滑り止めとして突条１２を突設しているが、ベース１０の下面に突条１２を突設する換わりに、ベース１０の前後両端部を下方に折り曲げ形成し、この折り曲げ部を商品陳列棚の横方向に延びる部材（棒又はパイプ）に引っ掛けることで滑り止めとするようにしても構わない。尚、上述の説明ではベース１０の前後両端部に滑り止めを設けるようにしているが、ベース１０の後端部に滑り止めを設けるだけでもよいが、ベース１０の前後両端部に滑り止めを設けた方が、ベース１０を前後いずれの方向に向けても滑り落ちないので使用上において便利である。
【００３２】
図７は、本発明の商品整列用仕切り具１を設置する商品陳列棚３０の一例を示すもので、この商品陳列棚３０は、図８に示す如き陳列ラック３１を備え、この陳列ラック３１を店内のレイアウトや陳列内容に応じて所望の数だけ用意し、これを任意に上下左右に組み合わせることにより構成される。
【００３３】
陳列ラック３１は、金属製の角パイプ材を枠状に屈曲してなる左右一対の側部フレーム３２を有する。側部フレーム３２は、図８において一部拡大して示すように、下桟３２ａが下向きに開口する断面コ字形状に形成されており、陳列ラック３１を組み合わせる際に、下側に位置する陳列ラック３１の側部フレーム３２の上桟３２ｂに嵌め込むことができるようになっている。一対の側部フレーム３２間には複数段に載置棚３３が配置されている。載置棚３３は、金属棒材を屈曲して形成した枠状部材３４と、この枠状部材３４に両端を連結されて、枠状部材３４の内部空間に所定間隔で配列された複数本の格子状部材３５とを有している。載置棚３３は、前方が低くなるように傾斜して配置された状態で、その左右両側を上記一対の側部フレーム３２に連結されており、それによって商品陳列棚を構成している。
【００３４】
尚、金属の棒材は、例えば鉄、ステンレス、銅、アルミニウムなどの棒材からなり、その表面には必要に応じて金属めっき、塗装等が施されていてもよい。また、金属の棒材同士の接合には、溶接、ネジ止め、接着等の各種手段を採用することができる。
【００３５】
陳列ラック３１は、載置棚３３に本発明の商品整列用仕切り具１を載置することができる。本発明の商品整列用仕切り具１は、傾斜した載置棚３３上にその突条１２が載置棚３３の格子状部材３５に引っ掛かった状態で載置される。また、突条１２の換わりにベース１０の前後端に滑り止めとなる折り曲げ部を一体に設けた場合には、その折り曲げ部が載置棚３３の格子状部材３５に引っ掛かった状態で載置棚３３上に載置される。
【００３６】
商品陳列棚３０は、陳列ラック３１を、例えば図７に示すように積み重ね、上下左右に隣接する陳列ラック３１の側部フレーム３２同士を接合金具３６で接合することにより組み立てられる。尚、陳列ラック３１を上下に積み重ねる際に、上側に位置する陳列ラック３１の側部フレーム３２の下桟３２ａを、下側に位置する陳列ラック３１の側部フレーム３２の上桟３２ｂに嵌め込むことにより、上側に位置する陳列ラック３２と下側に位置する陳列ラック３１とを確りと接合することができる。
【００３７】
接合金具３６は、ハガネ板等の弾力性を有する金属板で略コの字に屈曲されており、上下左右に隣接する陳列ラック３１の側部フレーム３２同士を強固に挟持してしまうので、上下左右に隣接する陳列ラック３１をガタツクことなく固定し、陳列ラック３０の接合状態は確実になる。
【００３８】
商品陳列棚３０によれば、所望の数の陳列ラック３１を上下左右に積み重ねて構成することができるので、熟練を要さずに簡単に設置、撤去でき、また、店内のレイアウトや陳列内容に応じて簡単にレイアウト変更できて多目的に使用でき、しかも、撤去後も繰り返し使用できて資材の無駄を省ける。
【図面の簡単な説明】
【００３９】
【図１】本発明にかかる商品整列用仕切り具の実施形態を示す斜視図である。
【図２】ベースの平面図である。
【図３】仕切板の斜視図である。
【図４】折り曲げ仕切板の斜視図である。
【図５】本発明にかかる商品整列用仕切り具の使用態様を示す平面図である。
【図６】折り曲げ仕切板の他の例を示す斜視図である。
【図７】本発明にかかる商品整列用仕切り具を使用する商品陳列棚の一例を示す概略斜視図である。
【図８】陳列ラック及び接合金具を示す斜視図である。
【符号の説明】
【００４０】
１…商品整列用仕切り具、１０…ベース、１１ａ…スリット（プラス形状）、１１ｂ…スリット（マイナス形状）、１２…突条、２０ａ…仕切板、２１…突起、２０ｂ…折れ曲り仕切板、Ａ，Ｂ…仕切スペース、３０…商品陳列棚、３１…陳列ラック、３２…側部フレーム、３２ａ…側部フレームの下桟、３２ｂ…側部フレームの上桟、３３…載置棚、３６…接合金具
【図１】
2006204356.tif 000003
【図２】
2006204356.tif 000004
【図３】
2006204356.tif 000005
【図４】
2006204356.tif 000006
【図５】
2006204356.tif 000007
【図６】
2006204356.tif 000008
【図７】
2006204356.tif 000009
【図８】
2006204356.tif 000010